(57)【要約】【課題】後方部のヨレやめくれが発生し難く、高い身体追従性を有する吸収性物品を提供すること。【解決手段】吸収性本体５の肌対向面に、後方部Ｃを縦方向に延びる縦溝５１と、後方部Ｃにおいて縦溝５１より横方向Ｙの内方に位置する内方溝６１とが形成されている。縦溝５１は縦方向Ｘにおいて途切れており、その途切れ部５２Ａ，５２Ｂが、後方フラップ部８の非肌対向面に形成された後方粘着部９の縦方向前後端９ａ，９ｂそれぞれを通って横方向Ｙに延びる２本の仮想直線Ｌ１，Ｌ２に挟まれた後方部特定領域ＣＳ内に存し、且つ後方部特定領域ＣＳ内に内方溝６１が存している。【選択図】図１
2015024001.tif 000002
【特許請求の範囲】
【請求項１】
液保持性の吸収体並びに該吸収体の肌対向面側に配置された表面シート及び該吸収体の非肌対向面側に配置された裏面シートを具備し、着用時に着用者の排泄部に対向配置される排泄部対向部と、該排泄部対向部よりも着用者の背側に配される後方部とを有する吸収性本体を備え、着用者の前後方向に相当する縦方向とこれに直交する横方向とを有する吸収性物品であって、
前記吸収性本体における前記後方部の縦方向に沿う両側部それぞれから横方向外方に延出する一対の後方フラップ部を備え、一対の該後方フラップ部それぞれの非肌対向面に、該後方フラップ部を着衣に固定する縦長の後方粘着部が形成されており、
前記吸収性本体の肌対向面に、前記表面シート及び前記吸収体が前記裏面シート側に向かって一体的に凹陥してなる線状溝が形成されており、該線状溝は、前記後方部を縦方向に延びる縦溝と、該後方部において該縦溝より横方向内方に位置する内方溝とを含み、
前記縦溝は縦方向において途切れた途切れ部を有しており、該途切れ部が、前記後方粘着部の縦方向前後端それぞれを通って横方向に延びる２本の仮想直線に挟まれた後方部特定領域内に存し、且つ該後方部特定領域内に前記内方溝が存している吸収性物品。
【請求項２】
前記縦溝は前記途切れ部を複数有しており、その複数の途切れ部の全てが前記後方部特定領域内に存し、且つその複数の途切れ部のうち、縦方向の最前方に位置する途切れ部が、前記内方溝の側方に存している請求項１に記載の吸収性物品。
【請求項３】
前記縦溝は、前記吸収性本体を横方向に二分する中心線を挟んで一対形成されており、その一対の縦溝は、それぞれ、縦方向に隣接する２つの前記途切れ部に挟まれた分断領域を前記後方部特定領域内に有し、該分断領域は、平面視においてその縦方向前端が縦方向後端より横方向内方に位置するように、縦方向に対して傾いている請求項２に記載の吸収性物品。
【請求項４】
前記後方粘着部の縦方向の長さが前記後方フラップ部の縦方向の長さの１０〜３０％であり、前記排泄部対向部と前記後方部との境界から該後方粘着部の縦方向前端までの長さが６０〜９０ｍｍである請求項１〜３の何れか一項に記載の吸収性物品。
【請求項５】
前記内方溝の縦方向前端は、前記排泄部対向部と前記後方部との境界又はその近傍に存している請求項１〜４の何れか一項に記載の吸収性物品。
【発明の詳細な説明】
【技術分野】
【０００１】
本発明は、生理用ナプキン等の吸収性物品（女性用吸収性物品）に関する。
【背景技術】
【０００２】
従来、生理用ナプキン等の吸収性物品において、漏れ防止性や装着性を向上させるために、その肌対向面に、表面シート及び吸収体が裏面シート側に向かって一体的に凹陥してなる溝を形成することが知られている。また、就寝時等に長時間使用するのに適した生理用ナプキンとして、縦方向（ナプキン長手方向）の前方（排泄部対向部）にウイング部、後方に後方フラップ部をそれぞれ一対備えたものが知られている。
【０００３】
ウイング部及び後方フラップ部を備え、肌対向面に溝が形成された生理用ナプキンに関し、例えば特許文献１には、着用時に着用者の臀部側に配置されるナプキンの後部の肛門対向部周辺領域に、溝が縦方向で途切れるよう、溝が配置されていない溝非配設部を設けることが記載されている。この肛門対向部周辺領域は、およそ着用者の肛門に対向する部分からそのやや背側上部を含む縦方向を区分した領域とされており、特許文献１の図１の記載によれば、後方フラップ部の前方側でウイング部との境界に比較的近い位置にある。特許文献１によれば、ナプキン着用時にこの溝非配設部が着用者の肌に向けて適度に隆起してフィットするため、経血等の漏れを抑制できるとされている。
【０００４】
また特許文献２には、ナプキン着用時における後方フラップ部の形状安定性を高め、経血等の漏れを防止する目的で、後方フラップ部の平面視形状を、縦方向の前方において幅寸法が最大で且つ後方に向かうにしたがって徐々に幅寸法（横方向の長さ）が小さくなる形状とすることが記載されている。特許文献２に記載のナプキンにおいて、一対の後方フラップ部それぞれの非肌対向面には、該後方フラップ部を着衣に固定する縦長の後方粘着部が形成されている。また、特許文献２の図１及び図５の記載によれば、ナプキンの後方部の肌対向面の左右両側部には、縦方向に延びる一対の溝と、一対の該溝よりも横方向外方に位置して縦方向に延びる一対の外側溝とが形成され、この一対の外側溝は、前記後方粘着部よりも縦方向前方側において途切れている。但し、特許文献２には、この外側溝の途切れ部の技術的意義等については特に記載されていない。
【先行技術文献】
【特許文献】
【０００５】
【特許文献１】特開２００９−２６１７７７号公報
【特許文献２】特許第４２５２４３９号公報
【発明の概要】
【発明が解決しようとする課題】
【０００６】
生理用ナプキンに代表されるこの種の吸収性物品は、通常ショーツ等の着衣に装着し、股下部に配して着用される。しかし、この股下部は歩行等の身体の動きによって、大きく変動しやすく、生理用ナプキンにはヨレが生じがちである。ここでいうヨレは、フィット性等の特性向上の目的で意図的に発生させる変形ではなく、意図しない変形であり、フィット性の低下や横漏れ等の不都合の原因となり得るものを指す。特に、後方フラップ部を備えた生理用ナプキンにおいて、その肌対向面に、排泄部対向部から後方部に亘って縦方向に連続する溝が形成されていると、排泄部対向部で生じたヨレが該溝によって後方部に伝わり、後方フラップ部のヨレやめくれを誘発するおそれがある。排泄部対向部は、ナプキン着用時に着用者の大腿部に挟まれる部位であるため、横方向から外力（圧縮力）を受けやすく、後方部に比してヨレ（変形）が生じやすい。
【０００７】
これに対し、特許文献１及び２に記載されているように、排泄部対向部から後方部に亘って縦方向に延びる溝が途中で途切れていると、排泄部対向部で生じたヨレは、その途切れ部よりも縦方向後方には伝わらないため、後方フラップ部のヨレやめくれは生じ難くなる。しかしながら、後方部を縦方向に延びる溝に安易に途切れ部を設けると、その途切れ部の側方に位置する部分（ナプキンの後方部の横方向中央部）が、ナプキン着用時に着用者の肌側に向けて大きく隆起し、その結果、その隆起部の側方に位置する部分（後方フラップ部）のヨレやめくれを招くおそれがある。後方部のヨレやめくれが発生し難く、着用者の様々な動きや姿勢の変化に追従し得る高い身体追従性を有する吸収性物品は未だ提供されていない。
【０００８】
従って本発明は、後方部のヨレやめくれが発生し難く、高い身体追従性を有する吸収性物品に関する。
【課題を解決するための手段】
【０００９】
本発明は、液保持性の吸収体並びに該吸収体の肌対向面側に配置された表面シート及び該吸収体の非肌対向面側に配置された裏面シートを具備し、着用時に着用者の排泄部に対向配置される排泄部対向部と、該排泄部対向部よりも着用者の背側に配される後方部とを有する吸収性本体を備え、着用者の前後方向に相当する縦方向とこれに直交する横方向とを有する吸収性物品であって、前記吸収性本体における前記後方部の縦方向に沿う両側部それぞれから横方向外方に延出する一対の後方フラップ部を備え、一対の該後方フラップ部それぞれの非肌対向面に、該後方フラップ部を着衣に固定する縦長の後方粘着部が形成されており、前記吸収性本体の肌対向面に、前記表面シート及び前記吸収体が前記裏面シート側に向かって一体的に凹陥してなる線状溝が形成されており、該線状溝は、前記後方部を縦方向に延びる縦溝と、該後方部において該縦溝より横方向内方に位置する内方溝とを含み、前記縦溝は縦方向において途切れた途切れ部を有しており、該途切れ部が、前記後方粘着部の縦方向前後端それぞれを通って横方向に延びる２本の仮想直線に挟まれた後方部特定領域内に存し、且つ該後方部特定領域内に前記内方溝が存している吸収性物品である。
【発明の効果】
【００１０】
本発明の吸収性物品は、後方部（例えば生理用ナプキンにおける後方フラップ部）のヨレやめくれが発生し難く、高い身体追従性を有し、横漏れを生じ難い。
【図面の簡単な説明】
【００１１】
【図１】図１は、本発明の吸収性物品の一実施形態である生理用ナプキンの肌対向面側（表面シート側）を示す平面図である。
【図２】図２は、図１のＩ−Ｉ線断面を模式的に示す断面図である。
【図３】図３は、図１の要部（後方部）を拡大して示す平面図である。
【図４】図４は、本発明に係る縦溝の途切れ部を説明するための平面図である（図４中の符号８３で示す非凹陥部は該途切れ部ではない）。
【図５】図５は、本発明の吸収性物品の一実施形態である生理用ナプキンの他の例の図２相当図である。
【発明を実施するための形態】
【００１２】
以下、本発明の吸収性物品を、その好ましい一実施形態である生理用ナプキンに基づき図面を参照して説明する。本実施形態のナプキン１は、図１及び図２に示すように、液保持性の吸収体４並びに該吸収体４の肌対向面側に配置された表面シート２及び該吸収体４の非肌対向面側に配置された裏面シート３を具備する吸収性本体５を備え、着用者の前後方向に相当する縦方向Ｘとこれに直交する横方向Ｙとを有する。
【００１３】
尚、本明細書において、肌対向面は、吸収性物品又はその構成部材（例えば吸収性本体５）における、吸収性物品の着用時に着用者の肌側に向けられる面であり、非肌対向面は、吸収性物品又はその構成部材における、吸収性物品の着用時に肌側とは反対側（着衣側）に向けられる面である。また、縦方向Ｘは、吸収性物品（吸収性本体）の長辺に沿う方向（長手方向）に一致し、横方向Ｙは、吸収性物品（吸収性本体）の幅方向（長手方向に直交する方向）に一致する。
【００１４】
吸収性本体５は、着用時に着用者の排泄部に対向配置される排泄部対向部Ｂと、着用時に排泄部対向部Ｂよりも着用者の腹側（前側）に配される前方部Ａと、着用時に排泄部対向部Ｂよりも着用者の背側（後側）に配される後方部Ｃとを縦方向Ｘに有している。ここでいう「着用時」は、通常の適正な着用位置（当該吸収性物品の正しい着用位置）が維持された状態を意味し、吸収性物品が該着用位置からずれた状態にある場合は含まない。
【００１５】
ナプキン１は、吸収性本体５に加えて更に、吸収性本体５における排泄部対向部Ｂの縦方向Ｘに沿う両側部それぞれから横方向Ｙの外方に延出する一対のウイング部７，７と、吸収性本体５における後方部Ｃの縦方向Ｘに沿う両側部それぞれから横方向Ｙの外方に延出する一対の後方フラップ部８，８とを有している。このような、後方フラップ部を有する生理用ナプキンは、就寝時等に長時間使用するのに適しており、夜用の生理用ナプキンとして特に有用である。
【００１６】
尚、本発明の吸収性物品において、排泄部対向部は、本実施形態のナプキン１のようにウイング部を有する場合には、吸収性物品の縦方向（吸収性物品の長手方向、図中のＸ方向）においてウイング部を有する領域（ウイング部の縦方向一方側の付け根と他方側の付け根とに挟まれた領域）である。ウイング部を有しない吸収性物品における排泄部対向部は、吸収性物品が３つ折りの個装形態に折り畳まれた際に生じる、該吸収性物品を横方向（吸収性物品の幅方向、図中のＹ方向）に横断する２本の折曲線（図示せず）について、該吸収性物品の縦方向の前端から数えて第１折曲線と第２折曲線とに囲まれた領域と同じか又は該領域よりも狭い領域である。
【００１７】
図２に示すように、表面シート２は、吸収体４の肌対向面の全域を被覆し、更に吸収体４の縦方向Ｘに沿う両側縁から横方向Ｙの外方に延出している。一方、裏面シート３は、吸収体４の非肌対向面の全域を被覆し、更に吸収体４の縦方向Ｘに沿う両側縁から横方向Ｙの外方に延出して、後述するサイドシート１０と共にサイドフラップ部６を形成している。裏面シート３とサイドシート１０とは、吸収体４の縦方向Ｘに沿う両側縁からの延出部において、接着剤、ヒートシール、超音波シール等の公知の接合手段によって互いに接合されている。表面シート２及び裏面シート３それぞれと吸収体４との間は接着剤によって接合されていても良い。
【００１８】
本実施形態における吸収体４は、図２に示すように、吸収性シート４０１〜４０３の積層体からなり、図１及び図２に示すように、排泄部対向部Ｂに中高部４２を有している。吸収体４は、２枚の吸収性シート４０１，４０２間に別の吸収性シート４０３を挟持した構造を有し、この別の吸収性シート４０３は中高部４２に配されている。中高部４２は、排泄部対向部Ｂのみに形成され、前方部Ａ及び後方部Ｃには形成されていない。中高部４２は、図２に示すように、吸収体４を構成する吸収性シートの積層枚数が、その周囲に位置する部分より多く、厚みが大きい部分である。このため、ナプキン１は、排泄部対向部Ｂに、表面シート２側（ナプキン１の肌対向面側）に突出した隆起部を形成している。また、吸収体４は、吸収体４の外形を形成する主吸収体４０と、主吸収体４０の一部に重ねて配された主吸収体４０より小型の補助吸収体４１とを有している。主吸収体４０は、平面視において角が丸みを帯びた略矩形形状で且つ前方部Ａから排泄部対向部Ｂを経て後方部Ｃに亘って延びる２枚の同形同大の吸収性シート４０１，４０２からなり、補助吸収体４１は、平面視において略矩形形状であり、排泄部対向部Ｂからその近傍の後方部Ｃに亘って配されている。補助吸収体４１は、１枚の吸収性シート４０３を折り畳んで２層構造としたものであり、主吸収体４０を構成する２枚の吸収性シート４０１，４０２間に配されている。中高部４２には、この補助吸収体４１（１枚の吸収性シート４０３を折り畳んで複数層の構造としたもの）が配されている。主吸収体４０の一部に補助吸収体４１を配することで、吸収体４の一部の吸収容量を容易且つ効率的に増大させることができる。補助吸収体４１は、主吸収体４０を構成する２枚の吸収性シート４０１，４０２間に配置するのに代えて、主吸収体４０を構成する上側の吸収性シート４０１の肌対向面側に積層しても良いし、主吸収体４０を構成する下側の吸収性シート４０２の非肌対向面側に積層しても良い。また、吸収性シート間は、接合されていなくても良いし、まばらに散布した接着剤等によって接着されていても良い。
【００１９】
吸収体４は、中高部４２の厚みが、好ましくは０．７ｍｍ以上、更に好ましくは１ｍｍ以上であり、また、好ましくは５ｍｍ以下、更に好ましくは４ｍｍ以下である。より具体的には、中高部４２の厚みは０．７ｍｍ以上５ｍｍ以下が好ましく、更には１ｍｍ以上４ｍｍ以下であることが好ましい。中高部４２の厚みをこの範囲とすることで、中高部４２が形成されている排泄部対向部Ｂにおける良好な着用感と高い吸収性能とを両立することが容易となる。また、本実施形態のナプキン１のように吸収性物品がウイング部を備えている場合には、その着用時に排泄部対向部での吸収体のヨレを抑制しやすくなる。中高部４２以外の吸収体４の厚み、即ち主吸収体４０（２枚の吸収性シート４０１，４０２の積層体）の厚みに関しては、好ましくは０．３ｍｍ以上、更に好ましくは０．５ｍｍ以上であり、また、好ましくは３ｍｍ以下、更に好ましくは２．５ｍｍ以下である。より具体的には、主吸収体４０の厚みは、０．５ｍｍ以上３ｍｍ以下、更には０．６ｍｍ以上２．５ｍｍ以下であることが、高い吸収性能と着用者の動きへの追従性を高める観点から好ましい。
【００２０】
また、吸収体４において、中高部４２とその周辺部との境界又はその近傍における両者の厚み差（段差）は２ｍｍ以下であることが好ましく、更に１．５ｍｍ以下であることが好ましい。この目的は、排泄部対向部Ｂにおいて、中高部４２とその周辺部分の主吸収体４０のみが存在する領域との境界付近におけるヨレの発生を抑制することである。この段差が大きいと、着用中にナプキン１が着用者の動きに追従した際、段差による隙間を埋めようとするため、結果として段差の影響でヨレが生じ易くなることがあるが、該段差を前記範囲内に設定とすることで、排泄部対向部Ｂにおけるヨレの発生を抑える効果が高まる。前述した吸収体４の各部の厚みは下記方法により測定される。
【００２１】
＜吸収体の厚みの測定方法＞
測定対象物である吸収体を水平な場所にシワや折れ曲がりがないように静置し、５ｃＮ／ｃｍ2の荷重下での厚みを測定する。本発明における厚みの測定には、厚み計 PEACOCK DIAL UPRIGHT GAUGES R5-C(OZAKI MFG.CO.LTD.製）を用いた。このとき、厚み計の先端部と測定対象物における測定部分との間に、平面視円形状又は正方形状のプレート（厚さ５ｍｍ程度のアクリル板）を配置して、荷重が５ｃＮ／ｃｍ2となるようにプレートの大きさを調整する。
【００２２】
吸収性本体５の肌対向面（表面シート２の肌対向面）における縦方向Ｘに沿う両側部には、図１に示すように、平面視において吸収体４の縦方向Ｘに沿う左右両側部に重なるように、一対のサイドシート１０，１０が吸収性本体５の縦方向Ｘの略全長に亘って配されている。一対のサイドシート１０，１０は、それぞれ、排泄部対向部Ｂに位置する線状の第１接合線１１と、該第１接合線１１の縦方向Ｘの前後（前方部Ａ及び後方部Ｃ）に位置する線状の第２接合線１２とで吸収性本体５（表面シート２）に接合されている。第１接合線１１は、平面視において横方向Ｙの外方に向けて凸の曲線状であり、第２接合線１２は、平面視において縦方向に交差するように延びる線状（ジグザグ線状）である。サイドシート１０は、撥水性の不織布からなる。このように、サイドシート１０が接合線１１，１２にて吸収性本体５の肌対向面（表面シート２）に接合されていると、図２に示すように、接合線１１，１２よりも横方向Ｙの内方に、サイドシート１０と表面シート２とで画成される空間部Ｐが形成される。この空間部Ｐは、吸収性本体５の横方向Ｙの中央に向けて開口しているので、横方向Ｙの中央から外方へ流れる経血等の排泄液は空間部Ｐに収容されるようになり、結果として排泄液の漏れが効果的に防止される。
【００２３】
サイドフラップ部６は、図１に示すように、排泄部対向部Ｂにおいて横方向Ｙの外方に向かって大きく張り出しており、これにより吸収性本体５の縦方向Ｘに沿う左右両側に、一対のウイング部７，７が延設されている。また、サイドフラップ部６は、後方部Ｃにおいても横方向Ｙの外方に向かって大きく張り出しており、これにより本体５の縦方向Ｘに沿う左右両側に、一対の後方フラップ部８，８が延設されている。また、表面シート２及び裏面シート３は、図１に示すように、吸収体４の縦方向Ｘの前端及び後端それぞれから縦方向Ｘの外方に延出し、それらの延出部において、接着剤、ヒートシール、超音波シール等の公知の接合手段によって、互いに接合されてエンドシール部を形成している。
【００２４】
ウイング部７は、ショーツ等の着衣のクロッチ部の非肌対向面（外面）側に折り返されて用いられるものである。ウイング部７は、図１に示すように、平面視において、下底（上底よりも長い辺）が吸収性本体５の側部側に位置する略台形形状を有している。ウイング部７の非肌対向面には、該ウイング部７（ナプキン１）をショーツ等の着衣（図示せず）に固定するウイング部粘着部（図示せず）が形成されており、このウイング部粘着部によって、使用時に、着衣のクロッチ部の非肌対向面（外面）側に折り返されたウイング部７を、該クロッチ部に粘着固定できるようになされている。尚、ナプキン１においては、吸収性本体５とウイング部７との境界線は、ウイング部７の縦方向Ｘの両付け根を結ぶ直線（図示せず）である。
【００２５】
一対の後方フラップ部８，８それぞれの非肌対向面（サイドシート１０の非肌対向面）には、該後方フラップ部８（ナプキン１）をショーツ等の着衣（図示せず）に固定する縦長の後方粘着部９が形成されている。後方粘着部９は、平面視において縦方向Ｘに長い矩形形状をなしている。図１に示すように、一方の後方フラップ部８における後方粘着部９と他方の後方フラップ部８における後方粘着部９とは、同形状同寸法で且つ縦方向Ｘに関して同位置に存しており、吸収性本体５を横方向Ｙに二分する中心線（図示せず）を基準として左右対称に形成されている。後方フラップ部８は、これを着衣に固定する際に折り返されず、その非肌対向面が広げられた状態（吸収性本体５の側方に延ばされた状態）で、後方粘着部９を介して着衣の肌対向面（内面）に粘着固定される。後方粘着部９及び前記ウイング部粘着部は、ホットメルト粘着剤を所定箇所に塗布することにより設けられており、ナプキン１の使用前においてはフィルム、不織布、紙等からなる図示しない剥離シートによって被覆されている。
【００２６】
図１〜図３に示すように、吸収性本体５の肌対向面（表面シート２の肌対向面）には、表面シート２及び吸収体４が裏面シート３側に向かって一体的に凹陥してなる線状溝が形成されており、該線状溝は、後方部Ｃにおいて縦方向Ｘに延びる縦溝５１と、後方部Ｃにおいて縦溝５１より横方向Ｙの内方に位置する内方溝６１とを含む。縦溝５１は、内方溝６１より横方向Ｙの外方に位置する溝であることから、外方溝（外方縦溝）とも言える。ここで、内方溝６１に関し、「縦溝より横方向の内方に位置する」とは、横方向Ｙに平行な、同一の仮想直線上において内方溝６１が縦溝５１よりも内方に位置することを意味する。線状溝は、熱を伴うか又は伴わない圧搾加工、あるいは超音波エンボス等のエンボス加工により常法に従って形成することができる。線状溝においては、表面シート２及び吸収体４が熱融着等により一体化している。
【００２７】
このような線状溝がナプキン１の肌対向面に形成されていると、吸収体４の平面方向の液の拡散が効果的に抑制されるようになり、また、吸収体４のヨレを防止できる。線状溝の形成は、経血等の排泄液の拡散防止、着用時の身体に対する密着性の向上等に特に有効である。特に、後方部Ｃに位置する縦溝５１は、後方部Ｃのヨレ及び後ろ斜め方向の漏れを効果的に防止し、内方溝６１は、ナプキン１の着用時に着用者の臀部の溝に沿うことで、後ろ漏れを効果的に防止し得る。線状溝の幅（長さ方向と直交する方向の長さ）及び深さは、この種の吸収性物品における線状溝と同様に設定すれば良い。
【００２８】
ここで、縦溝に関して「延びる」とは、縦溝が途中で途切れることなく連続している状態に限られず、後述する途切れ部５２Ａ，５２Ｂの如き、比較的短い長さ（概ね８ｍｍ以下）の、縦溝を構成する凹陥部（エンボス部）の存在しない部分（非凹陥部）があっても良く、縦溝全体として実質的に縦方向に連続していれば良い。また、線状溝における「線状」とは、溝（凹陥部）の形状が平面視において直線に限られず、曲線を含み、各線は、連続線でも破線でも良い。例えば、線状溝は、不連続な多数のエンボス（例えば、点エンボス）のなす列から構成されていても良い。この場合には、途切れ部の長さよりも、隣り合ったエンボス間の距離の方が短い。
【００２９】
縦溝５１は、図１に示すように、吸収性本体５を横方向Ｙに二分する中心線（図示せず）を挟んで一対形成されており、これら一対の縦溝５１，５１は、該中心線を基準として左右対称に形成されている。一対の縦溝５１，５１は、それぞれ、後方部Ｃのみならず、排泄部対向部Ｂ及び前方部Ａにも延びており、排泄部対向部Ｂにおいては、中高部４２の横方向Ｙの外方を縦方向Ｘに延びている。また、排泄部対向部Ｂでは、縦溝５１は横方向Ｙの内方に向けて凸の曲線状となっていて、排泄部対向部Ｂの縦方向Ｘの前後端側から中央側に向かって、一対の縦溝５１，５１間の間隔が狭くなっている。本実施形態のナプキン１では、排泄部対向部Ｂに吸収体４の中高部４２が配置されており、当該構成の一対の縦溝５１，５１によって、中高部４２の縦方向Ｘの中央が着用者肌側に向かって隆起し易くなされている。また、サイドシート１０と吸収性本体５との第１の接合部線１１，１１が排泄部対向部Ｂで横方向Ｙの外方に向けて凸の曲線状となっているために、図１に示すように、排泄部対向部Ｂの縦方向Ｘの中央領域では、溝５１と第１接合線１１との間隔が、その前後領域より広くなっている。このため、溝５１を乗り越えた体液は、縦方向Ｘの前後方向へ拡がりながらサイドシート１０と表面シート２とで画成される空間部Ｐ（図２参照）へと導かれるので、横方向側部への液流速度が抑制される。しかも、排泄部対向部Ｂの縦方向Ｘの中央領域は、第１接合線１１が横方向Ｙの外方に向けて凸の曲線状となっていることに起因して、その前後領域に比して空間部Ｐの容量が大きいので、サイドシート１０を乗り越えて体液が横方向側部へと漏れる不都合が抑制されやすくなっている。
【００３０】
本実施形態においては、前記線状溝として、図１に示すように、縦方向Ｘに延びる溝５１，６１に加えて更に、横方向Ｙに延びる横溝７１，７２が、吸収性本体５の縦方向Ｘの前側から後側に向けてこの順で形成されている。横溝７１は、前方部Ａに位置し、平面視して吸収性本体５の縦方向Ｘの前端に向けて凸状に湾曲しており、また、横溝７２は、後方部Ｃに位置し、平面視して吸収性本体５の縦方向Ｘの後端に向けて凸状に湾曲しており、両溝７１，７２は、その凸の向きが異なるだけで平面視形状は同じである。横溝７１，７２それぞれの凸の頂部は、吸収性本体５の横方向Ｙの中央に位置している。一対の縦溝５１，５１と横溝７１，７２とはそれらの長さ方向の端部において繋がっており、それにより、吸収性本体５の肌対向面に平面視環状（略長楕円形状）の溝が形成されている。ここで「平面視」とは、図１のように、ナプキン１を肌当接面側から平面状に見ることを言う。
【００３１】
内方溝６１は、図１に示す如き平面視において、吸収性本体５の縦方向Ｘの後端に向けて凸の略Ｕ字状をなし、その凸の頂部が、縦方向Ｘの後端６１ｂとなっている。Ｕ字状の内方溝６１の後端６１ｂ（Ｕ字の凸の頂部）は、後方フラップ部８の縦方向Ｘの略中央に位置している。また、Ｕ字状の内方溝６１の縦方向Ｘの前端６１ａ，６１ａは、排泄部対向部Ｂと後方部Ｃとの境界１５又はその近傍（境界１５から５ｍｍ以内）に位置しており、これにより、排泄部対向部Ｂから漏れ出した経血等の排泄液の平面方向の拡散が内方溝６１によって効果的に防止される。排泄部対向部Ｂと後方部Ｃとの境界１５は、「一対のウイング部７，７それぞれの縦方向Ｘの後方側の付け根を結んだ直線」又は「中高部４２の縦方向Ｘの後端を通って横方向Ｙに延びる直線」に一致し、後方フラップ部８の縦方向前端８ａが存する位置でもある。Ｕ字状の内方溝６１において縦方向に延びている部分（後端６１ｂ及びその近傍以外の部分）は、平面視においてその縦方向Ｘの前端６１ａが後端より横方向Ｙの外方に位置するように、縦方向Ｘに対して傾いている。即ち、内方溝６１は、平面視において、その前端６１ａ側が後端６１ｂ側よりも横方向外方へ拡がり且つ前方部Ａ側に向かって開いたＵ字形状であり、且つ後端部６１ｂに向かうに従ってそのＵ字を構成する一対の溝６１，６１の間隔（横方向幅）が狭まる形状となっている。これによって、着用者臀部に対するフィット性と排泄物の漏れ抑制とが効果的に両立できる。
【００３２】
本実施形態のナプキン１の主たる特徴の１つとして、図１及び図３に示すように、縦溝５１は縦方向Ｘにおいて途切れており、その途切れ部５２Ａ，５２Ｂが、後方粘着部９の縦方向Ｘの前後端９ａ，９ｂそれぞれを通って横方向Ｙに延びる２本の仮想直線Ｌ１，Ｌ２に挟まれた後方部特定領域ＣＳ内に存し、且つ後方部特定領域ＣＳ内に内方溝６１が存している点が挙げられる。
【００３３】
ここで、「縦溝（縦方向に延びる溝）が縦方向において途切れている」とは、縦溝を縦方向Ｘに沿って見たときに、該縦溝を構成する凹陥部（エンボス部）が存在しない部分（非凹陥部、非エンボス部）がある状態を意味する。即ち、縦溝を横方向Ｙに横断する１本の仮想直線を、該仮想直線の長さ方向を横方向Ｙに一致させた状態のままで、該縦溝の全長に亘って縦方向Ｘに移動させたときに、該仮想直線と該縦溝を構成する凹陥部とが重ならない部分があった場合、該縦溝は縦方向Ｘにおいて途切れているとし、その重ならない部分が「途切れ部」である。従って例えば、縦溝の「途切れ部」よりも縦方向Ｘの前方側で吸収性本体にヨレ（変形）が生じ、そのヨレが該縦溝を介して縦方向Ｘの後方側に伝搬しても、そのヨレの伝搬は「途切れ部」で断たれ、「途切れ部」より縦方向Ｘの後方側には伝搬しない。図１及び図３中符号５２Ａ，５２Ｂで示す「途切れ部」は、斯かる縦溝の途切れの条件を満たす。
【００３４】
これに対し、例えば図４に示す縦溝８０は、該縦溝８０を構成する２本の連続直線状の溝８１，８２が繋がっておらず、両溝８１，８２間に非凹陥部（非エンボス部）８３が存在するが、縦溝８０を横方向Ｙに横断する１本の仮想直線Ｌ０を、その長さ方向を横方向Ｙに一致させた状態のままで縦方向Ｘに移動させた場合に、仮想直線Ｌ０は、非凹陥部８３が存する部分を含め、縦溝８０を構成する凹陥部と常に重なるので、縦溝８０は縦方向において途切れておらず、非凹陥部８３は、本発明でいうところの「途切れ部」ではない。従って仮に、非凹陥部８３よりも縦方向Ｘの前方側（図４の上方側）で吸収性本体にヨレが生じた場合、そのヨレは、非凹陥部８３が存する部分を介して、縦方向Ｘの後方側（図４の下方側）に伝搬することになる。
【００３５】
また、本発明に係る「後方部特定領域」に関し、本実施形態においては図１及び図３に示すように、一対の後方フラップ部８，８における一方の後方粘着部９と他方の後方粘着部９とは、吸収性本体５を横方向Ｙに二分する中心線（図示せず）を基準として左右対称に形成されているため、両粘着部９，９どうしで、後方部特定領域ＣＳを定める仮想直線Ｌ１，Ｌ２が一致するが、一方の後方粘着部と他方の後方粘着部とが左右非対称に形成されている場合は、それら左右非対称の一対の粘着部どうしで、縦方向前後端それぞれを通って横方向に延びる２本の仮想直線が一致せず、一方の後方粘着部の縦方向前後端を通る２本の仮想直線と他方の後方粘着部の縦方向前後端を通る２本の仮想直線との計４本の仮想直線が重ならずにそれぞれ独立に存在することになる。その場合は、左右どちらか一方の後方粘着部９の縦方向前後端部それぞれを通って横方向Ｙに平行に延びる２本の仮想直線に挟まれた領域を「後方部特定領域」とすれば良く、好ましくは、それら４本の仮想直線のうち、縦方向内方に位置する２本で定まる領域（縦方向において一方の後方粘着部と他方の後方粘着部とが重なる領域）を「後方部特定領域」とする。
【００３６】
図１及び図３に示すように、一対の縦溝５１，５１は、それぞれ、複数（２個）の途切れ部５２Ａ，５２Ｂを有しており、その複数の途切れ部５２Ａ，５２Ｂの全てが後方部特定領域ＣＳ内に存している。また、複数の途切れ部５２Ａ，５２Ｂのうち、縦方向Ｘの最前方に位置する途切れ部５２Ａのみが内方溝６１の側方に存しており、後方に位置する途切れ部５２Ｂは内方溝６１の側方には存していない。内方溝６１は、本発明でいうところの「途切れ部」を有しておらず、連続している。内方溝６１の後端６１ｂ（Ｕ字の凸の頂部）は、縦溝５１が有する複数の前記途切れ部のうち、後方部特定領域ＣＳ内における縦方向Ｘの最前方に位置する途切れ部５２Ａと最後方に位置する途切れ部５２Ｂとの間に位置している。
【００３７】
ナプキン１においては、縦溝５１が後方部Ｃにて縦方向Ｘにおいて途切れていることにより、ナプキン１の着用時において、排泄部対向部Ｂで生じたヨレが、その途切れ部５２Ａ（複数の途切れ部のうち縦方向Ｘの最前方に位置する途切れ部）よりも縦方向Ｘの後方には伝わらないため、後方フラップ部８のヨレやめくれが生じ難くなると共に、途切れ部５２Ａの横方向Ｙの内方に位置する、吸収性本体５の横方向中央部、特に平面視Ｕ字状の内方溝６１で包囲された部分が着用者の肌側に向かって適度に隆起し、結果として、後方部Ｃが着用者の様々な動きや姿勢の変化に追従して身体にフィットする。この途切れ部５２Ａの横方向Ｙの内方での隆起が大きすぎると、途切れ部５２Ａの横方向Ｙの外方（後方フラップ部８）のヨレやめくれを招くおそれがあるが、ナプキン１においては途切れ部５２Ａが、一対の後方粘着部９，９に挟まれた領域である後方部特定領域ＣＳ内に存しているため、該隆起は、後方フラップ部８のヨレやめくれを発生させない程度に適度に抑制される。また、内方溝６１よりも縦方向Ｘの後方に途切れ部５２Ｂが存していることにより、内方溝６１よりも後方側は、内方溝６１による適度な隆起が発生することなく、吸収性本体５が略平面状態を維持した状態で、途切れ部５２Ｂが起点となって身体に沿いやすくなるため、後方部Ｃの身体追従性が向上する。従って、ナプキン１は、後方部Ｃ（後方フラップ部８）のヨレやめくれが発生し難く、着用者の様々な動きや姿勢の変化に追従し得る高い身体追従性を有する。
【００３８】
前記作用効果（後方部のヨレやめくれが発生し難く、身体追従性に優れる）の発現には、「縦溝５１は縦方向Ｘにおいて途切れており、その途切れ部が後方部特定領域ＣＳ内に存し、且つ後方部特定領域ＣＳ内に内方溝６１が存している」という構成（基本構成）が必須であり、本実施形態のナプキン１が備える他の構成、例えば下記構成１及び２は必須ではない。従って、本発明においては、縦溝５１が有する複数の途切れ部の何れか１個が後方部特定領域ＣＳ内に存していれば良く、また、後方部特定領域ＣＳ内において途切れ部の側方に内方溝が存していなくても良い。但し、前記基本構成に加えて更に下記構成１及び構成２の少なくとも１つを備えることで、前記作用効果の発現がより一層確実になる。
【００３９】
・構成１：縦溝５１が有する複数（２個）の途切れ部５２Ａ，５２Ｂのうち、縦方向Ｘの最前方に位置する最前方途切れ部５２Ａが後方部特定領域ＣＳ内に存している（縦溝５１が有する複数の途切れ部５２Ａ，５２Ｂの全てが後方部特定領域ＣＳ内に存している）。
・構成２：後方部特定領域ＣＳ内において縦溝５１の途切れ部（特に最前方途切れ部５２Ａ）の側方（横方向Ｙの外方）に内方溝６１が存している。
【００４０】
前記作用効果の発現をより一層確実にする観点から、後方粘着部９の縦方向Ｘの長さＴ１（図１参照）は、後方フラップ部８の縦方向Ｘの長さＴ２（図１参照）に対して、好ましくは１０％以上、更に好ましくは１５％以上、そして、好ましくは３０％以下、更に好ましくは２５％以下、より具体的には、好ましくは１０〜３０％、更に好ましくは１５〜２５％である。また、後方粘着部９の長さＴ１は、好ましくは１５ｍｍ以上、更に好ましくは２０ｍｍ以上、そして、好ましくは５０ｍｍ以下、更に好ましくは４５ｍｍ以下、より具体的には、好ましくは１５〜５０ｍｍ、更に好ましくは２０〜４５ｍｍである。尚、後方粘着部９は、縦方向Ｘに並んだ複数の粘着要素から構成されていても良い。その場合の縦方向Ｘの長さは、最も前側に存在する粘着要素の前側端部から、最も後ろ側に存在する粘着要素の後側端部までの距離である。
【００４１】
同様の観点から、排泄部対向部Ｂと後方部Ｃとの境界１５（後方フラップ部８の縦方向前端８ａ）から後方粘着部９の縦方向前端９ａまでの長さＴ３（図１参照）は、好ましくは６０ｍｍ以上、更に好ましくは６５ｍｍ以上、そして、好ましくは９０ｍｍ以下、更に好ましくは８０ｍｍ以下、より具体的には、好ましくは６０〜９０ｍｍ、更に好ましくは６５〜８０ｍｍである。
【００４２】
同様の観点から、途切れ部５２Ａ，５２Ｂそれぞれの縦方向Ｘの長さは、好ましくは３ｍｍ以上、更に好ましくは３．５ｍｍ以上、そして、好ましくは８ｍｍ以下、更に好ましくは７ｍｍ以下、より具体的には、好ましくは３〜８ｍｍ、更に好ましくは３．５〜７ｍｍである。
【００４３】
尚、縦溝５１が途切れ部５２Ａ，５２Ｂを有していると、途切れ部５２Ａ，５２Ｂの縦方向Ｘの長さの程度によっては、縦溝５１の横方向Ｙの内方に存する経血等の排泄液が途切れ部５２Ａ，５２Ｂを通って横方向Ｙの外方に移行し、横漏れを誘発することが懸念される。しかしながら、本実施形態においては前述したように、途切れ部５２Ａ，５２Ｂの横方向Ｙの外方には、サイドシート１０と表面シート２とで画成される空間部Ｐ（図２参照）が形成されているので、排泄液が途切れ部５２Ａ，５２Ｂを通って横方向Ｙの外方に移行したとしても、該排泄液は空間部Ｐに収容されるため、第２接合線１２より横方向Ｙの外方には移行し難く、横漏れが生じ難い。
【００４４】
図３に示すように、一対の縦溝５１，５１は、それぞれ、縦方向Ｘに隣接する２つの途切れ部５２Ａ，５２Ｂに挟まれた分断領域５３を後方部特定領域ＣＳ内に有している。各分断領域５３は、平面視においてその縦方向前端５３ａが縦方向後端５３ｂより横方向Ｙの内方に位置するように、縦方向Ｘに対して傾いており、一対の分断領域５３，５３の間隔は、縦方向Ｘの前方に向かうに従って漸次短くなっている。つまり、後方部特定領域ＣＳ内における一対の分断領域５３，５３は、平面視においてハの字（八の字）状をなしており、これにより、分断領域５３がより安定的に面形状を維持しつつ着用者の身体に沿うようになり、身体追従性の一層の向上が図られる。
【００４５】
ナプキン１における各部の形成材料について説明すると、表面シート２及び裏面シート３としては、当該技術分野において従来用いられている各種のものを特に制限なく用いることができる。表面シート２としては、例えば、親水化処理が施された各種不織布や開孔フィルム等の液透過性のシートを用いることができる。また、裏面シート３としては、液不透過性の材料や撥水性の材料を用いることができる。液不透過性の材料としては、樹脂フィルムや、微細孔を有し、透湿性を有する樹脂フィルム、樹脂フィルムと不織布等とのラミネート材等を用いることができ、撥水性の材料としては、スパンボンド・メルトブローン・スパンボンド等からなる多層構造の複合不織布、スパンボンド不織布、ヒートボンド不織布、エアスルー不織布等を用いることができる。
【００４６】
吸収体４としては、ナプキン１の薄型化、低剛性化の観点から、木材パルプ等の繊維材料を積繊してなる積繊体ではなく、該積繊体に比して厚みが薄く低剛性の吸収性シートを用いることが望ましい。本実施形態のナプキン１において、吸収性シート４０１〜４０３としては、湿潤状態の吸水性ポリマーに生じる粘着力や別に添加した接着剤や接着性繊維等のバインダーを介して、構成繊維間や構成繊維と吸水性ポリマーとの間を結合させてシート状としたもの等を好ましく用いることができる。また、吸収性シートとしては、特開平８−２４６３９５号公報記載の方法にて製造された吸収性シート、気流に乗せて供給した粉砕パルプ及び吸水性ポリマーを堆積させた後、接着剤（例えば酢酸ビニル系の接着剤、ＰＶＡ等）で固めた乾式シート、紙や不織布の間にホットメルト接着剤等を塗布した後高吸収性ポリマーを散布して得られた吸収性シート、スパンボンド又はメルトブロー不織布製造工程中に高吸収性ポリマーを配合して得られた吸収性シート等を用いることができる。吸収性シートとして好適なものとしては、パルプ繊維の集合体に吸水性ポリマーを固定させたもの、エアレイド法で製造された乾式パルプシート、２枚の不織布間に粒子状の吸水性ポリマーを散布したものが挙げられる。これらの吸収性シートは、一枚を所定形状に裁断してシート状吸収体として用いることができる。吸収性シートの１枚あたりの厚みとしては、好ましくは０．１ｍｍ以上、特に０．３ｍｍ以上であり、また、好ましくは２ｍｍ以下、特に１．５ｍｍ以下であることが好ましい。より具体的には、０．１ｍｍ以上２ｍｍ以下、特に０．３ｍｍ以上１．５ｍｍ以下であることが好ましい。
【００４７】
しかしながら、吸収体４としては、前述した吸収性シートに代えて、積繊型の吸収体を用いても良い。図５には、この積繊型の吸収体の一例である吸収体４Ａを備えたナプキン１Ａの、排泄部対向部における横方向Ｙに沿った断面図（図２相当図）が示されている。この場合、吸収体４Ａは、積繊型の吸収体を複数（２個）積層してなる積層構造を有し、平面視において角が丸みを帯びた略矩形形状で且つ前方部Ａから排泄部対向部Ｂを経て後方部Ｃに亘って延びる、下層吸収体４５と、下層吸収体４５よりも幅狭で且つ排泄部対向部Ｂにおいて下層吸収体４５の横方向Ｙの中央部の肌対向面側に配置された、上層吸収体４６とを有している。上層吸収体４６と下層吸収体４５とは別体の構造体であり、これらの積層体が中高部４２を形成している。上層吸収体４６は、平面視において矩形形状で、その長手方向を下層吸収体４５の長手方向に一致させて、下層吸収体４５上に配置されている。下層吸収体４５と上層吸収体４６との間は、接着剤によって接合されていても良い。下層吸収体４５の厚みは、好ましくは０．３ｍｍ以上、更に好ましくは０．５ｍｍ以上であり、また、好ましくは３ｍｍ以下、更に好ましくは２．５ｍｍ以下である。より具体的には、下層吸収体４５の厚みは、０．５ｍｍ以上３ｍｍ以下、更には０．６ｍｍ以上２．５ｍｍ以下であることが、高い吸収性能と着用者の動きへの追従性を高める観点から好ましい。
【００４８】
下層吸収体４５及び上層吸収体４６（積繊型の吸収体）を構成する材料としては、当該技術分野において従来用いられている各種のものを特に制限なく用いることができ、例えば、木材パルプ、合繊繊維等の親水性繊維からなる繊維集合体、又は該繊維集合体に粒子状の吸水性ポリマーを保持させたもの等を用いることができる。吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。また、吸収体４５，４６は、前記繊維集合体等からなる液保持性の吸収性コアと、該吸収性コアを被覆する液透過性のコアラップシートとを含んで構成されていても良く、その場合、吸収性コアとコアラップシートとの間は、所定の部位においてホットメルト粘着剤等の接合手段により接合されていても良い。吸収性コアを被覆するコアラップシートとしては、例えば、ティッシュペーパー等の紙、各種不織布、開孔フィルム等の透水性シートを用いることができる。
【００４９】
また、ナプキン１Ａにおいては、図５に示すように、サイドシート１０は、ナプキン１Ａの横方向Ｙの中央寄りに位置する部分が、シートの折り返しにより２層構造とされており、その折り返し部が、サイドシート１０の縦方向Ｘに沿う内側縁部となっている。尚、ナプキン１Ａについては、前述したナプキン１と異なる構成部分を説明し、ナプキン１と同様の構成部分は同一の符号を付して説明を省略する。特に説明しない構成部分は、ナプキン１についての説明が適宜適用される。ナプキン１Ａによってもナプキン１と同様の効果が奏される。
【００５０】
サイドシート１０としては、当該技術分野において従来用いられている各種のものを特に制限なく用いることができ、例えば、液不透過性又は撥水性の樹脂フィルム、樹脂フィルムと不織布との積層体等を用いることができる。その他の材料としては、例えば、スパンボンド不織布、スパンボンド不織布（Ｓ）とメルトブロー不織布（Ｍ）とが複合化されたシート（例えばＳＭ、ＳＭＳ、ＳＭＭＳ等）、ヒートロール不織布、エアスルー不織布等の撥水性（疎水性）不織布が挙げられる。特に撥水性のエアスルー不織布を用いることが、肌触りのよさと横モレ防止の点から好ましい。
【００５１】
以上、本発明をその好ましい実施形態に基づき説明したが、本発明は前記実施形態に制限されない。例えば、ナプキン１，１Ａは、ウイング部７を有しないものであっても良い。また、吸収性本体５の非肌対向面（裏面シート３の非肌対向面）に、該本体５（ナプキン１）をショーツ等の着衣に固定する本体粘着部を設けても良い。本発明の吸収性物品は、生理用ナプキンの他、パンティライナ（おりものシート）、失禁パッド等にも適用できる。
【００５２】
前述した本発明の実施態様に関し、更に以下の付記を開示する。
【００５３】
＜１＞  液保持性の吸収体並びに該吸収体の肌対向面側に配置された表面シート及び該吸収体の非肌対向面側に配置された裏面シートを具備し、着用時に着用者の排泄部に対向配置される排泄部対向部と、該排泄部対向部よりも着用者の背側に配される後方部とを有する吸収性本体を備え、着用者の前後方向に相当する縦方向とこれに直交する横方向とを有する吸収性物品であって、前記吸収性本体における前記後方部の縦方向に沿う両側部それぞれから横方向外方に延出する一対の後方フラップ部を備え、一対の該後方フラップ部それぞれの非肌対向面に、該後方フラップ部を着衣に固定する縦長の後方粘着部が形成されており、前記吸収性本体の肌対向面に、前記表面シート及び前記吸収体が前記裏面シート側に向かって一体的に凹陥してなる線状溝が形成されており、該線状溝は、前記後方部を縦方向に延びる縦溝と、該後方部において該縦溝より横方向内方に位置する内方溝とを含み、前記縦溝は縦方向において途切れており、その途切れ部が、前記後方粘着部の縦方向前後端それぞれを通って横方向に延びる２本の仮想直線に挟まれた後方部特定領域内に存し、且つ該後方部特定領域内に前記内方溝が存している吸収性物品。
＜２＞  前記途切れ部の縦方向の長さは３ｍｍ以上８ｍｍ以下である前記＜１＞に記載の吸収性物品。
＜３＞  前記後方粘着部の縦方向の長さは１５ｍｍ以上５０ｍｍ以下である前記＜１＞又は＜２＞に記載の吸収性物品。
【００５４】
＜４＞  前記縦溝は前記途切れ部を複数有しており、その複数の途切れ部の全てが前記後方部特定領域内に存し、且つその複数の途切れ部のうち、縦方向の最前方に位置する途切れ部が、前記内方溝の側方に存している前記＜１＞〜＜３＞の何れか１に記載の吸収性物品。
＜５＞  前記縦溝は、前記吸収性本体を横方向に二分する中心線を挟んで一対形成されており、その一対の縦溝は、それぞれ、縦方向に隣接する２つの前記途切れ部に挟まれた分断領域を前記後方部特定領域内に有し、該分断領域は、平面視においてその縦方向前端が縦方向後端より横方向内方に位置するように、縦方向に対して傾いている前記＜４＞に記載の吸収性物品。
＜６＞  前記後方粘着部の縦方向の長さが前記後方フラップ部の縦方向の長さの１０〜３０％であり、前記排泄部対向部と前記後方部との境界から該後方粘着部の縦方向前端までの長さが６０〜９０ｍｍである前記＜１＞〜＜５＞の何れか１に記載の吸収性物品。
＜７＞  前記内方溝の縦方向前端は、前記排泄部対向部と前記後方部との境界又はその近傍に存している前記＜１＞〜＜６＞の何れか１に記載の吸収性物品。
【００５５】
＜８＞  前記内方溝は、平面視において、その縦方向の前端が後端側よりも横方向外方へ拡がり且つ着用時に前記排泄部対向部よりも着用者の腹側に配される前方部側に向かって開いたＵ字状である前記＜１＞〜＜７＞の何れか１に記載の吸収性物品。
＜９＞  前記内方溝の後端は、前記後方部特定領域内における縦方向の最前方の前記途切れ部と最後方の前記途切れ部との間に位置している前記＜１＞〜＜８＞の何れか１に記載の吸収性物品。
＜１０＞  前記吸収体は、前記排泄部対向部において、周囲よりも厚みが大きい中高部を備えている前記＜１＞〜＜９＞の何れか１に記載の吸収性物品。
＜１１＞  前記中高部の厚みは０．７ｍｍ以上５ｍｍ以下である前記＜１０＞に記載の吸収性物品。
＜１２＞  前記中高部は前記排泄部対向部のみに存在する前記＜１０＞又は＜１１＞に記載の吸収性物品。
【００５６】
＜１３＞  前記吸収体が、吸収性シートを含む前記＜１０＞〜＜１２＞の何れか１に記載の吸収性物品。
＜１４＞  前記吸収性シートが、パルプ繊維の集合体に吸水性ポリマーを固定させたもの、エアレイド法で製造された乾式パルプシート、又は２枚の不織布間に粒子状の吸水性ポリマーを散布したものである前記＜１３＞に記載の吸収性物品。
＜１５＞  前記中高部には、前記吸収性シートを折り畳んで複数層の構造としたものが配されている前記＜１３＞又は＜１４＞に記載の吸収性物品。
＜１６＞  前記吸収体は、２枚の前記吸収性シートの間に別の前記吸収性シートを挟持した構造を有し、該別の吸収性シートは前記中高部に配されている前記＜１３＞〜＜１５＞の何れか１に記載の吸収性物品。
【００５７】
＜１７＞  前記中高部は、下層吸収体に上層吸収体を積層した構造であり、該下層吸収体の厚みは０．３ｍｍ以上３ｍｍ以下である前記＜１０＞に記載の吸収性物品。
＜１８＞  前記中高部とその周辺部との境界又はその近傍における両者の厚み差（段差）が２ｍｍ以下である前記＜１０＞〜＜１７＞の何れか１に記載の吸収性物品。
＜１９＞  前記縦溝は、不連続な多数のエンボスのなす列から構成された不連続な線状であり、前記途切れ部の縦方向の長さは、多数の該エンボスにおける隣り合ったエンボス間の距離に比して長い前記＜１＞〜＜１８＞の何れか１に記載の吸収性物品。
【００５８】
＜２０＞  平面視において前記吸収体の縦方向に沿う左右両側部に重なるように、一対のサイドシートが前記吸収性本体の縦方向の略全長に亘って配されており、前記一対のサイドシートは、それぞれ、前記排泄部対向部に位置する線状の第１接合線と、該第１接合線の縦方向の前後に位置する線状の第２接合線とで前記吸収性本体に接合されており、前記第１接合線及び前記第２接合線よりも横方向の内方に、前記サイドシートと前記表面シートとで画成される空間部が形成されている前記＜１＞〜＜１９＞の何れか１に記載の吸収性物品。
＜２１＞  前記第１接合線は、平面視において横方向外方に向けて凸の曲線状である前記＜２０＞に記載の吸収性物品。
＜２２＞  前記縦溝は、前記排泄部対向部では平面視において横方向内方に向けて凸の曲線状である前記＜２１＞に記載の吸収性物品。
＜２３＞  前記第２接合線は、平面視において縦方向に交差するように延びる線状である前記＜２０＞〜＜２２＞の何れか１に記載の吸収性物品。
【００５９】
＜２４＞  前記吸収性物品は、前記排泄部対向部の横方向両側部に一対のウイング部を備えている前記＜１＞〜＜２３＞の何れか１に記載の吸収性物品。
＜２５＞  前記吸収性物品は、ウイング部を備えておらず、横方向に延びる２本の折り線によって縦方向に３つに折り畳まれており、該２本の折り線に挟まれた領域が前記排泄部対向部である前記＜１＞〜＜２３＞の何れか１に記載の吸収性物品。
＜２６＞  前記吸収性物品が生理用ナプキンである前記＜１＞〜＜２５＞の何れか１に記載の吸収性物品。
【符号の説明】
【００６０】
１，１Ａ  生理用ナプキン（吸収性物品）
２  表面シート
３  裏面シート
４，４Ａ  吸収体
４０  主吸収体
４１  補助吸収体
４０１，４０２，４０３  吸収性シート
４２  中高部
４５  下層吸収体（積繊型の吸収体）
４６  上層吸収体（積繊型の吸収体）
５  吸収性本体
７  ウイング部
８  後方フラップ部
９  後方粘着部
１０  サイドシート
１１  第１接合線
１２  第２接合線
５１  縦溝（外方溝）
５２Ａ，５２Ｂ  途切れ部
５３  縦溝の分断領域
６１  内方溝
Ａ  前方部
Ｂ  排泄部対向部
Ｃ  後方部
ＣＳ  後方部特定領域
Ｘ  縦方向
Ｙ  横方向
【図１】
2015024001.tif 000003
【図２】
2015024001.tif 000004
【図３】
2015024001.tif 000005
【図４】
2015024001.tif 000006
【図５】
2015024001.tif 000007